(57)【要約】【課題】従来、小型の携帯端末でＷｅｂページや文書を閲覧しようとした場合に、画面表示の幅を超えることが多く、そのために、縮小表示をすることで視認性を欠いたり、スクロール操作の必要が発生し利便性を欠いたりすること等が課題となる。また、複数の視野角においてそれぞれ異なる映像を表示できる表示装置においては、利用者が参照している以外の視野角の画面については、覗き見をされるなど、プライバシーの確保が課題として生じる。【解決手段】以上の課題解決のため、第一に本発明は表示すべき画面が、現在表示している画面の幅を超えている場合には、これを判断し、複数視野に分割して表示する表示装置を提供する。第二に装置筐体の傾きにより、各視野角画面の濃度を選択的に調整する装置を提供する。第三に、表示装置を左右に振ることで、その加速度と傾きにより、スクロールを実行する表示装置を提供する。【選択図】図２
2008256904.tif 000002
【特許請求の範囲】
【請求項１】
複数の視野角で異なる映像を表示できる表示部と、
表示すべき映像データを取得する映像データ取得部と、
映像データの幅が表示部の一視野角分の表示幅を超えているか判断する判断部と、
判断結果が「超えている」との判断結果である場合には、
表示すべき映像の全部又は一部を異なる視野角に対応した映像として表示する視野分割表示をするように
表示部を制御可能な制御部と、
を有する表示装置。
【請求項２】
判断結果が「超えている」との判断結果である場合には、
視野分割表示を選択するか選択しないかの入力を促す選択受付部を有する
請求項１に記載の表示装置。
【請求項３】
表示装置の傾きを検出する傾斜検出部を有し、
制御部は、
筐体の傾斜に応じて視野角に対応したそれぞれの画面の濃度を調整する画面濃度調整手段を有する
ことを特徴とする請求項１又は２に記載の表示装置。
【請求項４】
表示装置の動きの加速度を検出する加速度検出部を有し、
制御部は、
表示装置を左右に振ったときの加速度検出部に検出された加速度と、
傾斜検出部にて検出された傾斜と、により表示すべき映像を左右にスクロールさせるスクロール手段を有する
ことを特徴とする請求項１から３のいずれか一に記載の表示装置。
【請求項５】
制御部は、
正面及び左右のいずれかの画面に表示すべき映像がない場合において、
当該画面の全部又は一部を黒く表示させる表示映像切り替え手段を有する
ことを特徴とする請求項５に記載の表示装置。
【請求項６】
複数の視野角で異なる映像を表示できる表示ステップと、
表示すべき映像データを取得する映像データ取得ステップと、
映像データの幅が表示部の一視野角分の表示幅を超えているか判断する判断ステップと、
判断結果が「超えている」との判断結果である場合には、
表示すべき映像の全部又は一部を異なる視野角に対応した映像として表示する視野分割表示をするように表示ステップを制御可能な制御ステップと、
を有する表示方法。
【請求項７】
判断結果が「超えている」との判断結果である場合には、
視野分割表示を選択するか選択しないかの入力を促す選択受付ステップを有する
請求項６に記載の表示方法。
【請求項８】
表示装置の傾きを検出する傾斜検出ステップを有し、
制御ステップは、
筐体の傾斜に応じて視野角に対応したそれぞれの画面の濃度を調整する画面濃度調整サブステップを有する
ことを特徴とする請求項６又は７に記載の表示方法。
【請求項９】
表示装置の動きの加速度を検出する加速度検出ステップを有し、
制御ステップは、
表示装置を左右に振ったときの加速度検出ステップにて検出された加速度と、
傾斜検出ステップにて検出された傾斜と、により表示すべき映像を左右にスクロールさせるスクロールサブステップを有する
ことを特徴とする請求項６から８のいずれか一に記載の表示方法。
【請求項１０】
制御ステップは、
正面及び左右のいずれかの画面に表示すべき映像がない場合において、
当該画面の全部又は一部を黒く表示させる表示映像切り替えサブステップを有する
ことを特徴とする請求項５に記載の表示方法。
【発明の詳細な説明】
【技術分野】
【０００１】
本発明は、映像表示装置において広画面を表示するための画面制御技術に関する。
【背景技術】
【０００２】
携帯電話などの小型の携帯通信端末は、近年多くの機能を搭載するようになった。これに伴って、表示すべき情報も増加し、液晶ディスプレイなどの表示画面も大型化が進んでいる。しかしながら、表示画面の大型化にあわせ、装置本体をも大型化すると容積および重量共に増加することとなり、利用者の利便性を欠くばかりか商品性の低下をも招く結果となる。このため、表示画面の大型化には制約が存在する。しかしながら、先に述べた多機能化は、PC（Personal Computer）用のWeb（World Wide Web）ページを閲覧する機能を有するフルブラウザや、種々のPCのアプリケーションで作成された文書を閲覧等できる機能を有するソフトウェアを携帯通信端末に搭載するに至っている。
【０００３】
図２３は、従来技術の表示装置による画面表示の一例を説明するための図である。（ａ）図は表示装置で表示すべき映像である。（ｂ）、（ｃ）図は（ａ）図を、小型の表示装置の例として携帯電話で表示させた例である。携帯電話のようなPCなどに比べ画面の表示領域の幅が狭い表示装置に表示しようとした場合においては（ａ）にあるように、表示すべき映像が横に長いと、表示画面の横幅を越えてしまう。このような場合には（ｂ）のように縮小表示を行うか、（ｃ）のようにスクロールによる表示を行うことが必要となる。
【０００４】
このように、限られた大きさの画面を有する携帯端末においてPC用の文書やWebページ等をビューワソフトなどで閲覧しようとした場合には、一画面に表示できる情報量が限られているため、図２３（ｂ）のように、縮小表示機能を搭載することも考えられる。しかし、図からもわかるように表示される文字や映像が小さくなりすぎて視認性に欠ける結果となる場合が多い。
【０００５】
そこで特許文献１および特許文献２には、以下のような技術が開示されている。特許文献１に開示された技術では、画面の表示技術として、液晶表示装置が左右の複数の視野角によって異なる映像を表示することができる技術が開示されている。また、特許文献２には、プライバシー確保のため、液晶表示画面の視野角を狭くする技術が開示されている。
【特許文献１】特開２００６−９８５５６号公報
【特許文献２】特開２００４−１３３３４号公報
【０００６】
また、表示すべき映像が表示画面に収まらない場合に、図２３（ｃ）のように、映像をスクロールすることによって、情報を表示する方法がある。携帯のような携帯通信端末においては、画面が縦長に構成されることが多い。このため、表示すべき映像に対して横方向の表示領域が不足しがちである。すると、左右のスクロール操作が発生することとなる。この左右方向の画面スクロールが頻繁に発生すると、操作性の面において利用者の利便性を欠くこととなる。
【０００７】
そこで特許文献３には、以下のような技術が開示されている。該技術では、端末に傾斜検出部を有し、所定の閾値以上の傾斜が生じると、その傾斜方向に映像をスクロールする。すなわち、端末を水平方向に傾けることにより、横方向のスクロールを実現することができる。
【特許文献３】特開平１１−３０５９１８号公報
【発明の開示】
【発明が解決しようとする課題】
【０００８】
しかし、上記従来の技術には以下のような課題がある。つまり、特許文献１で開示されている技術では、視野角により異なる画面が表示でき、複数の画面に渡って一の表示すべき映像を表示することが可能である。表示画面の横幅が複数の視野角で提供される表示領域の横幅以下の場合にはよいが、表示画面の横幅が前記表示領域の横幅を超過する場合においては結局のところ、スクロール等の手段を用いることとなり、利便性に欠ける。
すると上記技術では、複数の視野角で表示可能な表示装置により、一の表示すべき映像を表示した場合において、画面の横幅がさらに大きい場合には、依然としてスクロール等の手段に頼らざるを得ないため、操作性の高いスクロール手段の実現という課題が生ずる。
【０００９】
特許文献２で開示されている技術は、画面の視野角を変更する画面制御技術ではあるが、主として画面の覗き見に対するプライバシー保護のために、一定範囲に視野角を限定するための技術である。従って、複数の視野角に画面が表示されている場合において、利用者が見ている画面に応じて、動的に視野角を限定などの制御手段の実現という課題が生じる。
【００１０】
また、特許文献３で開示されている技術は、端末装置の傾きと閾値のみで映像のスクロール制御をするものであり、センサーが傾きを検知する閾値の設定が難しく、当該値が適正でないと誤動作が多く安定性に欠ける問題があった。  すると上記技術では、端末装置の傾きによりスクロール制御を行う場合において、操作性を確保できるような安定的なスクロール動作手段の実現という課題が生じる。
【課題を解決するための手段】
【００１１】
以上の課題を解決するために、本発明は以下のような表示装置を提供する。第一に、表示すべき映像の幅が表示部の一画面分を超えているか否かを判断し、超えていると判断した場合には、複数の視野角の画面に表示すべき映像を分割して表示する表示装置を提供する。具体的には、複数の視野角で異なる映像を表示できる表示部と、表示すべき映像データを取得する映像データ取得部と、映像データの幅が表示部の一視野角分の表示幅を超えているか判断する判断部と、判断結果が「超えている」との判断結果である場合には、表示すべき映像の全部又は一部を異なる視野角に対応した映像として表示する視野分割表示をするように表示部を制御可能な制御部と、判断結果が「超えている」との判断結果である場合には、視野分割表示を選択するか選択しないかの入力を促す選択受付部を有する表示装置である。
【００１２】
第二は、上記第一の表示装置を基本として、表示装置の傾きを検出し、傾斜に応じて視野角の画面濃度を調整する表示装置を提供する。具体的には、上記第一の表示装置を基本として、表示装置の傾きを検出する傾斜検出部を有し、制御部は、筐体の傾斜に応じて視野角に対応したそれぞれの画面の濃度を調整する画面濃度調整手段を有することを特徴とする表示装置である。
【００１３】
第三は、上記第一、第二の表示装置を基本として、表示装置を左右に振った時の加速度を検出し、加速度と表示装置の傾斜とに応じて表示すべき映像をスクロールする表示装置を提供する。さらに、前記装置に付随して、スクロールによって表示すべき映像の端に達したときに、正面および左右の画面の一部または全部を黒く表示させる機能を有する表示装置を提供する。具体的には、表示装置の動きの加速度を検出する加速度検出部を有し、制御部は、表示装置を左右に振ったときの加速度検出部に検出された加速度と、傾斜検出部にて検出された傾斜とにより表示すべき映像を左右にスクロールさせるスクロール手段を有することを特徴とする表示装置である。また、前記装置に付随して、制御部が、正面及び左右のいずれかの画面に表示すべき映像がない場合において、当該画面の全部又は一部を黒く表示させる表示映像切り替え手段を有することを特徴とする表示装置である。
【発明の効果】
【００１４】
以上のような構成をとる第一の本発明によって、表示すべき映像が一画面の幅を超えるような画面であっても正面および左右の画面に分割することで、表示すべき情報を表示できる。また、表示すべき映像の幅が表示部の一画面を超えているという事を利用者に通知して、分割して表示するか否かの選択をさせることができる。
【００１５】
また、第二の本発明によって、表示装置の傾斜を検出することにより、ユーザが正面あるいは左右のうち、どの視野角の画面表示をみているかを推定により特定できる。特定された以外の画面については、画面濃度を調整し画面の覗き見などを防ぎ、プライバシーの確保をすることができる。
【００１６】
さらに、第三の本発明によって、表示装置の傾斜に加え、表示装置の動きの加速度を検出することで、傾斜と加速度により、スクロール動作を行うことができる。これにより、傾斜とその傾斜角度の閾値とでスクロール動作をした場合より、誤動作の少ない安定したスクロール動作をさせることができる。その結果、利用者は表示装置を左右に振る動作のような軽微な操作でスクロール操作ができる。従って、利用者は、携帯電話のような画面に表示される情報が限定されている表示装置においても、多くの情報を簡易に閲覧できる。さらに、表示すべき映像データがない場合においては、その部分を黒く表示することによって、利用者に対してフィードバック情報を提供することが可能となり、閲覧の利便性が高まる。
【発明を実施するための最良の形態】
【００１７】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、２及び請求項６、７について説明する。また、実施例２は、主に請求項３及び請求項８について説明する。また、実施例３は、主に請求項４、５及び請求項９、１０について説明する。
【００１８】
≪実施例１≫
<概要>
本実施例における表示装置は図２３（a）のような横幅が広く、一の画面にすべてを表示できない映像を表示する場合に、図にあるように表示すべき映像を3分割し、左右および正面の視野角において異なる表示をすることが可能である。従って、図１（ｂ）のように、表示装置の角度を変えることで、視野角が異なる表示画面を参照できる。このため、文字をいたずらに縮小することなくかつ、スクロール操作を発生させずに、横幅の広い映像を表示することができる。
【００１９】
<機能的構成>
図２は、本実施例の表示装置における機能ブロックの一例を表す図である。この図にあるように、本実施例の「表示装置」（０２００）は、「映像データ取得部」（０２０１）と、「判断部」（０２０２）と、「制御部」（０２０３）と、「表示部」（０２０４）とを有する。
【００２０】
なお、以下に記載する表示装置の機能ブロックは、ハードウェア、ソフトウェア、又はハードウェア及びソフトウェアの両方として実現され得る。具体的には、コンピュータを利用するものであれば、CPUや主メモリ、バス、あるいは二次記録媒体（ハードディスクや不揮発性メモリ、CD−ROMやDVD−ROMなどの記憶メディアとそれらメディアの読取ドライブなど）、印刷機器や表示装置、その他の外部周辺装置などのハードウェア構成部やその外部周辺機器用のI/Oポート、それらハードウェアを制御するためのドライバプログラムやその他アプリケーションプログラム、情報入力に利用されるユーザーインターフェースなどが挙げられる。
【００２１】
またこれらハードウェアやソフトウェアは、主メモリ上に展開したプログラムをCPUで演算処理したり、メモリやハードディスク上に保持されているデータや、インターフェースを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００２２】
「映像データ取得部」（０２０１）は、表示すべき映像データを取得する機能を有する。「映像データ」とは、アプリケーションあるいはオペレーティングシステムから生成された描画情報のことである。図１（a）図の文章がワードプロセッサで作成した文章であれば、文章の内容を示す文字コードなどに加えて、文字のポイント数や、印刷する紙種（A4縦など）などの文書整形情報を当該文書のコンテンツデータは有する。このコンテンツデータを基にアプリケーションであるワードプロセッサが映像データを生成し表示部において表示すべき映像データとして取得される。
【００２３】
「判断部」（０２０２）は映像データの幅が表示部の一視野角分の表示幅を超えているか判断する機能を有する。具体的には、映像データ取得部により取得した表示すべき映像データの幅を取得し、複数の視野角を有する表示画面のうち、一の端末表示画面の幅と比較を行う。当該映像データの幅が当該表示
画面の幅より大きい場合には「超えている」との判断を下し、その判断結果を制御部（０２０３）に送る。『「超えている」との判断』とは、例えば、先に説明した図１（ａ）図の文書データファイルをビューワソフト等のアプリケーションで開いた際に、画面表示設定を１００％、つまり実寸で表示しようとした場合に、その横幅が表示装置の表示可能な幅を超えた場合に、「超えている」との判断を下してもよい。また、可読性が確保される文字の大きさがあらかじめ表示装置に設定されており、ある程度までは画面を超える大きさの文書をアプリケーションにより縮小表示することを許容するが、表示される文書の横幅が大きく、さらなる縮小により設定された文字の大きさを下回るようであれば、「超えている」との判断を下してもよい。
【００２４】
また、例えばＷｅｂページを表示しようとした場合に、テーブル（表）や画像などの大きさにより、そのページの横幅が規定される場合がある。この場合において当該規定された幅を超えた場合には、「超えている」との判断を下してもよい。
【００２５】
「制御部」（０２０３）は、判断部（０２０２）における判断結果が「超えている」との判断結果である場合には、表示すべき映像の全部又は一部を異なる視野角に対応した映像として表示する視野分割表示をするように表示部を制御可能な機能を有する。具体的には、まず視野分割表示前の表示領域から視野分割表示後の映像表示領域に、映像表示領域を拡大する。例えば、視野分割表示前は２４０×３２０ピクセルで表示していた画面表示の大きさを７２０×３２０ピクセルに拡大する。この拡大された表示画面上に表示すべき映像を表示する。そして、当該画面を３分割し、２４０×３２０ピクセルの３つの画面として、それぞれの液晶ディスプレイなどの表示デバイスに映像として所定のルールにより分配して送出する。利用者が正面の画面を見ていた場合に、視野分割表示の表示方法であるが、表示画面の幅より広い映像を、正面、右視野角画面、左視野角画面の順に参照するように振り分けた表示方法でもよい。
<処理の流れ>
図３は、本実施例の表示装置における処理の流れの一例を表すフローチャートである。なお、以下に示すステップは、媒体に記録され計算機を制御するためのプログラムを構成する処理ステップであっても構わない。この図にあるように、まず、表示すべき映像データを取得する（ステップＳ０３０１）と、取得した映像データの幅が表示部の表示幅を超えているかを判断する（ステップＳ０３０２）。そして、「超えている」との判断であった場合には正面と左右の視野角のそれぞれに異なる映像を表示する（ステップＳ０３０３）。一方、「超えていない」との判断であった場合に正面と左右の視野角のいずれかに映像を表示する（ステップＳ０３０４）。
【００２６】
上記本実施例の表示装置は、以上のように、映像データの幅を取得し、表示部の表示幅を超えているか否かを判断することで、一つの視野角のみではスクロールや縮小しなければ全体を見渡すことのできない幅の大きい文書やWebページなどの映像データを表示する処理が可能になる。
【００２７】
<別の概要>
図４は携帯電話（０４００）を表示装置として使用した場合の例である。この図に示すように、判断部において、映像データの幅が表示部の表示幅を超えているとの判断が下された場合に、利用者に対して、表示画面（０４０１）においてメッセージやアイコンなどで、複数視野角の表示が可能な旨の通知を行う。利用者は複数画面切り替えボタン（０４０２）などで映像データ表示される視野角を変更することができる。
【００２８】
<別の機能的構成>
図５は、本実施例の表示装置における機能ブロックの、別の一例を表す図である。この図にあるように、本実施例の「表示装置」（０５００）は、上記構成を基本として「映像データ取得部」（０５０１）と、「判断部」（０５０２）と、「制御部」（０５０３）と、「表示部」（０５０４）と、「選択受付部」（０５０５）を有する。なお、これら構成要件については上記実施例にて既に記載済みであるのでその説明は省略する。そしてこの別の例の特徴点は前記「選択受付部」（０５０５）を新たに有する点である。
【００２９】
「選択受付部」（０５０５）は、「判断部」（０５０２）における判断結果が「超えている」との結果である場合には、視野分割表示を選択するか選択しないかの入力を促す機能を有する。これにより、利用者が状況に応じて、任意に、視野分割表示か、一画面のみの表示かを切り替えることができる。
【００３０】
<別の処理の流れ>
図６は、本実施例の表示装置における処理の流れの一例を表すフローチャートである。なお、以下に示すステップは、媒体に記録され計算機を制御するためのプログラムを構成する処理ステップであっても構わない。この図にあるように、まず、表示すべき映像データを取得する（ステップＳ０６０１）と、取得した映像データの幅が表示部の表示幅を超えているかを判断する（ステップＳ０６０２）。そして、「超えていない」との判断であった場合に正面と左右の視野角のいずれかに映像を表示する（ステップＳ０６０４）。一方、「超えている」との判断であった場合には、アイコンやメッセージあるいは警告音などで、利用者に対して視野分割表示が可能な旨を通知する（ステップＳ０６０５）。通知に対して、切り替えボタン押下などの操作入力などによって視野分割表示を行うとの選択があるか否かを判断する（ステップＳ０６０６）。視野分割表示を行うとの選択があれば、正面と左右の視野角のそれぞれに異なる映像を表示する（ステップＳ０６０３）。一方、視野分割表示を行うとの選択がなければ、正面と左右の視野角のいずれかに映像を表示する（ステップＳ０６０４）。
<ハードウェア的構成>
図７は、上記機能的な各構成要件を携帯電話のハードウェアとして実現した際の、表示装置における構成の一例を表す概略図である。この図を利用して本実施例の処理におけるそれぞれのハードウェア構成部の働きについて説明する。この図にあるように、表示装置（０７００）は、各種演算処理を行う「ＣＰＵ（中央演算装置）」（０７０１）と、「ＲＡＭ」（０７０２）と、オペレーティングシステムや、内蔵のアプリケーションプログラム等を格納している「ＲＯＭ」（０７０３）と、「操作入力Ｉ／Ｆ」（０７０４）と、画面の表示処理を行う「ＶＲＡＭ」（０７０５）と、「携帯電話通信通話部」（０７０６）と、を有している。また、ＶＲＡＭには、画面表示デバイスとして、左視野角用ＬＣＤ（Ｌｉｑｕｉｄ Ｃｒｙｓｔａｌ Ｄｉｓｐｌａｙ）（０７０７）、正面視野角用ＬＣＤ（０７０８）、および右視野角用ＬＣＤ（０７０９）が接続されている。そしてそれらが「システムバス」（０７１０）などのデータ通信経路によって図のように相互に接続され、情報の送受信や処理を行う。
【００３１】
また、「ＲＡＭ」（０７０２）は、各種処理を行うプログラムをＣＰＵに実行させるために読み出すと同時にそのプログラムの作業領域でもあるワーク領域を提供する。また、この「ＲＡＭ」（０７０２）にはそれぞれ複数のメモリアドレスが割り当てられており、ＣＰＵ（０７０１）で実行されるプログラムは、そのメモリアドレスを特定しアクセスすることで相互にデータのやりとりを行い、処理を行うことが可能になっている。
【００３２】
ここで、「携帯電話通信部」（０７０６）によってコンテンツデータが取得され、「ＲＡＭ」（０７０２）に格納され保持される。ＣＰＵ（０７０１）は「ＲＯＭ」（０７０３）よりロードしたアプリケーションプログラムを使用してＲＡＭ上のコンテンツデータを処理する。処理されたコンテンツデータは映像データとしてＶＲＡＭに送られる。ここで、ＣＰＵが、映像データが保有する、表示すべき映像の幅を取得する。ＶＲＡＭ（０７０５）における画面バッファ領域は、あらかじめ３画面分の解像度を確保している。例えば、正面画面には２４０×３２０ピクセル分を表示しているが、画面バッファ領域は論理画面として７２０×３２０ピクセル分確保してある。そしてその領域内に表示すべき映像データの表示を行う。そして、表示すべき映像の幅の値が、例えば正面ＬＣＤ（０７０８）において表示される２４０×３２０ピクセルよりも広い場合には、視野分割表示を行う。具体的には、論理画面をＣＰＵにより映像データを左映像及び、正面映像、及び右映像に分割し、ＶＲＡＭ（０７０５）を介して左右及び正面のＬＣＤにそれぞれ映像の出力を行う。
【００３３】
なお、表示装置が、先に示した<別の機能的構成>をとる場合には、表示すべき映像の幅の値が、例えば正面ＬＣＤ（０７０８）において表示される所定の幅の値よりも広い場合には、視野分割表示が可能であるとの通知を行う。当該通知は正面ＬＣＤ（０７０８）に対してアイコンやメッセージなどで行ってもよい。これに対して利用者が操作入力Ｉ／Ｆ（０７０４）に対して、入力を行い、視野分割表示を行うか否かの選択を行う。例えば、操作入力Ｉ／Ｆに複数画面表示切替ボタンがあればこれを用いて選択入力をおこなってもよい。
【００３４】
<効果の簡単な説明>
以上のように本実施例の表示装置によって、表示すべき映像の幅が、現在使用している視野角の画面の幅を超える場合に、複数の視野角まで画面表示領域を拡大する視野分割表示を行うことで、幅の広いＷｅｂページや、文書ファイルの表示処理を行うことができる。また、視野分割表示を行うか否か利用者の選択を可能とすることで、状況にあわせた情報の閲覧が可能となる。
【００３５】
≪実施例２≫
<概要>
図８は、本実施例の表示装置を携帯電話に使用した場合の画面表示例について説明するための概念図である。本実施例の表示装置では、実施例１で説明したように、表示すべき映像の幅が広い場合に、視野分割表示を行うことで、複数の視野角の画面に映像表示できる。実施例１と比べた特徴は、例えば、この図８（ａ）と図８（ｃ）のように、視野分割表示の際に、表示装置が装置筐体の傾きに応じ、各視野角に表示された映像の濃度を調整することができる点である。これにより、例えば、筐体の傾斜の程度により、利用者が閲覧していないと判断された画面の映像表示を薄くすることが可能であり、メール閲覧画面などの他者に見られたくない情報を他の視野角の画面から覗き見される機会を低減することができるため、プライバシーを確保できる。
【００３６】
このように、本実施例では、実施例1の表示装置を基本として、表示装置の傾きを検出する傾斜検出部を有し、制御部は、筐体の傾斜に応じて視野角に対応したそれぞれの画面の濃度を調整する画面濃度調整手段を有することを特徴とする表示装置である。
【００３７】
<機能的構成>
図９は、本実施例の表示装置における機能ブロックの一例を表す図である。この図にあるように、本実施例の「表示装置」（０９００）は、実施例１を基本として「映像データ取得部」（０９０１）と、「判断部」（０９０２）と、「制御部」（０９０３）と、「表示部」（０９０４）とを有する。また、点線で示す「選択受付部」（０９０５）有していても良い。なお、これら構成要件については上記実施例にて既に記載済みであるのでその説明は省略する。そして、本実施例の表示装置の特徴点は、「傾斜検出部」（０９０６）を新たに有し、「制御部」（０９０３）は、画像濃度調整手段（０９０７）を新たに有する点である。
【００３８】
「傾斜検出部」（０９０６）は、表示装置の傾きを検出する機能を有する。具体的には、左右および正面の視野角を持つ表示装置であれば、水平方向の装置筐体の基準からの傾きをセンサー等で検出し、その傾斜の度合いを制御部の画像濃度調整手段に送出する。
【００３９】
画像濃度調整手段（０９０７）は、制御部（０９０３）において、筐体の傾斜に応じて視野角に対応したそれぞれの画面の濃度を調整する機能を有する。具体的には、「傾斜検出部」（０９０６）より、表示装置筐体の傾きを取得する。次に、取得した傾きにより、現在利用者が閲覧している視野角の画面を推定する。この推定結果により、各視野角の画面に表示されている画像濃度を調整する。画像の濃度調整の方法であるが、一定の角度以上の傾斜を検出すると、画像濃度が調整される方法であってもよい。
【００４０】
<処理の流れ>
図１０は、本実施例の表示装置における処理の流れの一例を表すフローチャートである。なお、以下に示すステップは、媒体に記録され計算機を制御するためのプログラムを構成する処理ステップであっても構わない。この図にあるように、まず、表示装置の傾きの度合いを取得する（ステップＳ１００１）と、取得した傾きの度合いに基づいて一定以上の傾きを検出したか否かを判断する（ステップＳ１００２）。そして、前記判断結果が真であれば、取得した傾きの度合いにより、利用者が現在閲覧している視野角の画面の推定を行う（ステップＳ１００３）。取得した傾きと推定結果に応じて各視野角の画面濃度を調整する（ステップＳ１００４）。
【００４１】
<ハードウェア構成>
図１１は、上記機能的な各構成要件を携帯電話のハードウェアとして実現した際の、表示装置における構成の一例を表す概略図である。この図を利用して表示処理におけるそれぞれのハードウェア構成部の働きについて説明する。この図にあるように、表示装置は、実施例１と同様、各種演算処理を行う「ＣＰＵ（中央演算装置）」（１１０１）と、「ＲＡＭ」（１１０２）と、オペレーティングシステムや、内蔵のアプリケーションプログラム等を格納している「ＲＯＭ」（１１０３）と、「操作入力Ｉ／Ｆ」（１１０４）と、画面の表示処理を行う「ＶＲＡＭ」（１１０５）と、「携帯電話通信通話部」（１１０６）と、を有している。また、ＶＲＡＭには、画面表示デバイスとして、左視野角用ＬＣＤ（１１０７）、正面視野角用ＬＣＤ（１１０８）、および右視野角用ＬＣＤ（１１０９）が接続されている。そしてこれらが、「システムバス」（１１１０）などのデータ通信経路によって相互に接続されている。さらに本実施例におけるハードウェア構成における特徴点は、「傾斜センサー」（１１１１）が、「信号入出力Ｉ／Ｆ」（１１１２）を介してシステムバス（１１１０）に接続されている点である。
【００４２】
ここで、実施例１で説明したような処理により、視野分割表示がされているとする。「傾斜センサー」（１１１１）はその機能により、装置筐体の傾斜度を取得する。傾斜度はＣＰＵ（１１０１）によりＲＡＭ（１１０２）に保持されている傾斜度閾値と比較される。取得された傾斜度が傾斜度の閾値よりも大きい場合には、ＣＰＵ（１１０１）により、表示される各視野角の映像データに対して表示濃度の調整を行い、ＶＲＡＭ（１１０５）に対し送出される角視野角に対応する映像データの変更が施される。例えば、当初利用者が、表示装置の正面の視野角の画面に正対していたとする。その際においては、正面の視野角の映像が通常の濃度で表示されており、左右の視野角の濃度が薄く表示されている。次に、利用者が、水平方向時計回りに45度筐体を傾けたとする。つまり、このとき右側の視野角の画面が利用者に正対した状態になっている。このとき、ＲＡＭ（１１０２）上に保持されている傾斜度閾値が30度であった場合には、ＣＰＵ（１１０１）において、利用者が正面の視野角より右側の視野角の映像に閲覧を切り替えたと推定される。これにより、ＣＰＵ（１１０１）において画像の濃度調整を行う旨の判断がされ、今度は右側の視野角の画面表示が通常の濃度で表示される。一方、正面の視野角については映像の表示を薄くするというような処理がＶＲＡＭに送出する映像データに対して行われる。これにより右側の視野角の画面に表示された映像のみが通常の濃度で表示され、正面と左側の視野角からは薄く表示された映像しか見ることができない。
【００４３】
<効果の簡単な説明>
このようにして、装置筐体の傾斜により、各視野角に対応する表示濃度を調整し、利用者に対して正対していない視野角の画面等の表示を薄くする等することで、第一に、他者に見られたくない情報を覗き込まれる心配がなく、プライバシーを確保することで、安全性の向上を図ることができる。第二に、閲覧していない視野角と現在閲覧している視野角との識別がつきやすくなり、利用者にとってより見やすい画面表示が可能となる。
【００４４】
≪実施例３≫
<概要>
図１２は本実施例の表示装置における表示の例である。本実施例の表示装置は、実施例１および実施例２を基本として、図１２（ａ）に示すように、表示装置を左右に振ることで、表示画面領域内において、表示すべき映像のスクロールを可能とすることを特徴とする。具体的には、表示装置の動きの加速度を検出する加速度検出部を有し、制御部は、表示装置を左右に振ったときの加速度検出部に検出された加速度と、傾斜検出部にて検出された傾斜とにより表示すべき映像を左右にスクロールさせるスクロール手段を有することを特徴とする表示装置である。ここで、本実施例で述べる「スクロール」とは図１２（ｂ）から（ｃ）に移行するように、点線部に示す表示すべき映像が、各視野角の画面上で移動する動作を指す。
【００４５】
上記のように加速度だけでなく傾きを加えた2つの要素をスクロール動作実行の判断材料とすることで、誤動作の少ないより安定的なスクロール操作が可能である。このため、スクロールを伴うような広大な表示すべき映像の閲覧において、操作性の向上による利用者の利便性が高まる効果を有する。
【００４６】
<機能的構成>
図１３は、本実施例の表示装置における機能ブロックの一例を表す図である。この図にあるように、本実施例の「表示装置」（１３００）は、実施例２を基本として「映像データ取得部」（１３０１）と、「判断部」（１３０２）と、「制御部」（１３０３）と、「表示部」（１３０４）と、傾斜検出部（１３０６）とを有する。また、点線で示す「選択受付部」（１３０５）と、画像濃度調整手段（１３０７）を有していても良い。なお、これら構成要件については上記実施例にて既に記載済みであるのでその説明は省略する。そして、本実施例の表示装置の特徴点は、「加速度検出部」（１３０８）と、制御部（１３０３）において、「スクロール手段」（１３０９）を新たに有する点である。
【００４７】
「加速度検出部」（１３０８）は、表示装置の動きの加速度を検出する機能を有する。具体的には表示装置に内蔵された加速度センサーなどを用いて、表示装置が動いた場合に筐体の加速度を取得し、この加速度の値が一定値以上であった場合に、制御部のスクロール手段（１３０９）に対して加速度を通知する機能を有する。
【００４８】
「スクロール手段」（１３０９）は、表示装置を左右に振ったときの加速度検出部に検出された加速度と、傾斜検出部にて検出された傾斜とにより表示すべき映像を左右にスクロールさせる機能を有する。具体的には、加速度検出部（１３０８）が取得し通知してきた加速度の値と、これに加え傾斜検出部（１３０６）で検出した傾斜度とを取得する。この加速度の値と、傾斜検出部の傾斜度の両者を取得し、所定の規則により、スクロール方向やスクロール量などを算出し、表示されている映像に対してスクロールを実行する。このスクロールの動作は、図１４に示す表示すべき映像が、図１５（a１）から（a２）のように一画面毎に切り替わるような動作でもよいし、（ｂ１）から（ｂ４）のように動作が利用者に分かるように、表示すべき画面が横に流れながら動作が完了するような態様でもよい。また、図１６（ｄ１）から（ｄ３）に示すように、表示すべき映像の右端に到達した場合には、一度左端に移動して、一画面分縦にスクロールする態様でもよい。この場合においてもスクロール動作を利用者に与えるために、（ｅ１）から（ｅ４）のように、表示すべき画面が流れるように利用者に見せながらスクロールするような態様でもよい。上記のような動作をすることで、利用者に対してスクロール動作の適切なフィードバック情報を与えることになる。このため利用者は、自己がなした操作の認識と、画面上に表示される実際のスクロール動作との認識が一致し、操作性が向上する。
【００４９】
<処理の流れ>
図１７は、本実施例の表示装置における処理の流れの一例を表すフローチャートである。なお、以下に示すステップは、媒体に記録され計算機を制御するためのプログラムを構成する処理ステップであっても構わない。この図にあるように、まず、表示装置の加速度を取得する（ステップＳ１７０１）と、取得した加速度が所定の一定値以上の値であるか否かの判断を行う（ステップＳ１７０２）。一定値以上の加速度を検出したと判断した場合においては、このときの表示装置の傾きを取得する（ステップＳ１７０３）。そして、取得した加速度と傾きにより、所定の規則で演算を行い、スクロール方向やスクロール量の算出を行う（ステップＳ１７０４）。つづいて、算出されたスクロール量などに基づいて、表示されている映像のスクロール（ステップＳ１７０５）を行う。
【００５０】
<別の概要>
図１８は本実施例における表示装置の別の概要を例示した図である。図１４が本実施例において表示すべき映像である。図１８は図１４に示した表示すべき映像を、携帯電話を表示装置として表示した例である。この図にあるように、視野分割表示を行っている場合に図１８（a）の様に表示すべき画面が表示されているものとする。ここで、表示装置を右側に振った場合には映像は右にスクロールが実行され、図１８（ｂ）のような映像が各視野角に表示される。左側の視野角には黒い画面が表示され、表示すべき映像の左端に到達したということを示している。一方、表示装置を左側に振ると映像は左にスクロールが実行され、図１８（ｃ）のような画面が表示される。右側の視野角には黒い画面が表示され、表示すべき映像の右端に到達したということを示している。さらに、図１８（ｃ）の表示の場合に、左側に表示装置をさらに振ると、表示すべき映像のうち縦方向に一画面分スクロールされると共に同時に左端にスクロールされ、図１８（ｄ）のような表示がなされる。
【００５１】
このように、本実施例の表示装置では、スクロールを実行した結果、表示すべき映像の端に到達した際に、その旨を利用者に通知するために、表示すべき映像の右端や左端以降の領域を黒く表示する機能を有する。具体的には、実施例２の表示装置を基本として、制御部が、正面及び左右のいずれかの画面に表示すべき映像がない場合において、当該画面の全部又は一部を黒く表示させる表示映像切り替え手段を有することを特徴とする表示装置である。当該表示装置により利用者は、自己の操作により映像がスクロールされた結果、表示すべき映像の端に達した場合に、黒い画面表示をフィードバック情報として得ることができる。これにより、表示すべき映像の端に到達したことを容易に認識することが可能となる。従って、本実施例の表示装置により、操作性の高いスクロールが可能となり、利用者はより多くの情報を、容易に閲覧することができる。
【００５２】
<別の機能的構成>
図１９は、本実施例の表示装置における機能ブロックの一例を表す図である。この図にあるように、本実施例の「表示装置」（１９００）は、実施例１を基本として「映像データ取得部」（１９０１）と、「判断部」（１９０２）と、「制御部」（１９０３）と、「表示部」（１９０４）と、を有する。また、点線で示す傾斜検出部（１９０６）と、「加速度検出部」（１９０８）と、「選択受付部」（１９０５）と、画像濃度調整手段（１９０７）を有していても良い。なお、これら構成要件については上記実施例にて既に記載済みであるのでその説明は省略する。そして、本実施例の表示装置の特徴点は、制御部（１９０３）において、「表示映像切り替え手段」（１９１０）を新たに有する点である。
【００５３】
「表示映像切り替え手段」（１９１０）は、正面及び左右のいずれかの画面に表示すべき映像がない場合において、制御部（１９０３）において当該画面の全部又は一部を黒く表示させる機能を有する。具体的には、スクロールにより表示すべき映像の上下または左右の終端を検出し、その終端以降の部分を黒く表示させるように制御を行う。当該表示は、画面全体を黒く表示させてもよいし、各視野角において、一部のみ表示すべき画面がない場合においては、一部のみを黒く表示させてもよい。
【００５４】
<別の処理の流れ>
図２０は、本実施例の表示装置における処理の流れの一例を表すフローチャートである。なお、以下に示すステップは、媒体に記録され計算機を制御するためのプログラムを構成する処理ステップであっても構わない。なおステップＳ２００１からステップ２００５までは先の実施例において記載済みであるので、その説明は省略する。この図にあるように、スクロール動作が実行された（ステップＳ２００５）後に、各視野角の表示画面内において、表示すべき映像の終端が存在するか否かの判断を行う（ステップＳ２００６）。終端を検出した場合には」、終端以降の表示すべき映像がない部分については黒く表示する処理を行う（ステップＳ２００７）。
【００５５】
<さらに詳細な処理の流れ>
図２１は本実施例の表示装置におけるさらに詳細な処理の流れの一例を表すフローチャートである。なお、以下に示すステップは、媒体に記録され計算機を制御するためのプログラムを構成する処理ステップであっても構わない。まず、表示すべき映像の横幅が２画面以上あるかを判断する（ステップＳ２１０１）。ここで２画面以上あるとの判断がされた場合には、視野分割表示可能アイコンなどの表示を行う（ステップＳ２１０２）。そして、描画処理のループに入り、一画面による通常描画処理を行う（ステップＳ２１０３）。このループ内において、視野分割表示ボタン押下または、表示内容全体の切り替えまたは、アプリケーション終了通知が行われるまで描画処理を行う。前期３つのいずれかが生じた場合には、ループを抜ける。ループを抜けると、視野分割表示切替ボタンが押下されるか否か判断される（ステップＳ２１０４）。視野分割表示切替ボタンが押されたと判断された場合には、次に、視野分割表示可能アイコンの表示があるか否かを判断する（ステップＳ２１０５）。視野分割表示切替ボタンの押下がない場合には、傾きの検知（ステップＳ２１１３）を行い正面の表示を強く表示するなどの、表示濃度の調整を行う（ステップＳ２１１４）。視野分割表示が押下されていないとの判断がされた場合には、アプリケーションプログラムなどによって表示すべき映像全体の切り替えが行われたかの判断を行う（ステップＳ２１０７）。切り替えが行うと判断された場合には、表示内容の切り替え処理（ステップ２１０８）が行われ、ステップＳ２１０１に戻る。切り替えが行わないと判断された場合には、処理は終了する。ステップＳ２１０５において視野分割表示可能アイコンの表示があると判断されれば、現在の端末の傾きが記憶され（ステップＳ２１０６）、視野分割表示を行う（ステップＳ２１０９）ループに入る。この際、視野分割表示中アイコンなどを表示する処理があってもよい。視野分割表示切替ボタンの押下、または、端末が左右に振られた、または、傾きを検知した、または、表示内容全体の切り替え、または、アプリケーション終了、のいずれかの動作が生じると、ループから抜ける。はじめに視野分割表示ボタンが押されたか否かの判断を行う（ステップＳ２１１０）。当該ボタンが押下されたとの判断が下された場合には、元の一画面表示に戻り、ステップＳ２１０２において引き続き視野分割表示可能アイコンなどを表示する（ステップＳ２１０２）。当該ボタンが押されていないとの判断の場合には、さらに端末が左右に振られているか否かの判断を行う（ステップＳ２１１１）。端末が振られたとの判断の場合には、ステップＳ２１０６において記憶した端末の傾きの記憶と加速度を用いてスクロール処理（ステップＳ２１１２）を行う。その後引き続き、視野分割表示の処理（ステップＳ２１０９）を行うべくループに戻る。端末が振られたとの判断がされなかった場合には、さらに端末筐体の傾きを検知する処理（ステップＳ２１１３）ここで傾きを検知したと判断された場合には、正面の表示を強く表示するなどの、表示濃度の調整を行った（ステップＳ２１１２）後、視野分割表示処理（ステップＳ２１０７）のループに戻る。傾きが検知されないと判断された場合には、表示濃度の更新はされず、表示すべき映像全体が切り替えられたかの判断をおこなう（ステップＳ２１０７）。
【００５６】
<ハードウェア構成>
図２２は、上記機能的な各構成要件を携帯電話のハードウェアとして実現した際の、表示装置における構成の一例を表す概略図である。この図を利用して表示処理におけるそれぞれのハードウェア構成部の働きについて説明する。この図にあるように、表示装置は、実施例２と同様に、各種演算処理を行う「ＣＰＵ（中央演算装置）」（２２０１）と、「ＲＡＭ」（２２０２）と、オペレーティングシステムや、内蔵のアプリケーションプログラム等を格納している「ＲＯＭ」（２２０３）と、「操作入力Ｉ／Ｆ」（２２０４）と、画面の表示処理を行う「ＶＲＡＭ」（２２０５）と、「携帯電話通信通話部」（２２０６）と、「信号入出力Ｉ／Ｆ」（２２１３）と、「傾斜センサー」（２２１１）と、を有している。また、ＶＲＡＭ（２２０５）には、画面表示デバイスとして、左視野角用ＬＣＤ（２２０７）、正面視野角用ＬＣＤ（２２０８）、および右視野角用ＬＣＤ（２２０９）が接続されている。そしてこれらが、「システムバス」（２２１０）などのデータ通信経路によって相互に接続されている。さらに本実施例におけるハードウェア構成における特徴点は、「加速度センサー」（２２１２）が、「信号入出力Ｉ／Ｆ」（２２１３）を介してシステムバス（２２１０）に接続されている点である。
【００５７】
ここで、実施例１で説明したような処理により、視野分割表示がされているとする。このとき、利用者が携帯電話を右側に振ると、加速度センサー（２２１２）によって加速度値が取得される。同時に傾斜センサー（２２１１）によって傾斜度の値が取得される。前記二の値は信号入出力Ｉ／Ｆ（２２１３）を介してシステムバス（２２１０）によりＣＰＵ（２２０１）に送られる。ＣＰＵ（２２０１）においては、ＲＡＭ（２２０２）に保持されている、加速度閾値と取得した加速度の値の比較演算が行われる。取得した値が、加速度閾値が大きい場合には、取得した傾斜度の値と、加速度の値とで、ＲＡＭ（２２０２）に保持されているスクロール量などの算出規則、によりスクロールの方向や、スクロール量などを算出する。当該スクロール量などはＣＰＵ（２２０１）にロードされているアプリケーションに送られ、当該アプリケーションにより表示すべき映像のスクロール指示が出される。さらにここで、表示すべき映像の終端を検出すると、ＣＰＵ（２２０１）により終端以降の部分については表示を黒く描画する指令が出される。次に、ＣＰＵ（２２０１）は、表示すべき映像を算出されたスクロール量を基に、映像データの更新を行う。更新された映像データは、ＣＰＵ（２２０１）にて左右及び正面視野角に分配され、ＶＲＡＭ（２２０５）に送られることで、各視野角のＬＣＤ（２２０７〜２２０９）に表示される。
<効果の簡単な説明>
以上のように、本実施例の表示装置によって加速度と傾きにより、スクロール動作の実行を行うことにより誤動作の少ない、安定したスクロール操作が可能となる。また、スクロールにより表示すべき映像の終端に達し、画面中に表示すべき画面が存在しない場合にその部分を黒く表示することにより、利用者にスクロール操作のフィードバック情報を提供し、当該操作の利便性を高めることができる。
【図面の簡単な説明】
【００５８】
【図１】実施例１の表示装置による広画面表示の一例を説明するための図
【図２】実施例１の表示装置における機能ブロックの一例を表す図
【図３】実施例１の表示装置における広画面表示処理の一例を表すフローチャート
【図４】実施例１の表示装置による広画面表示の別の一例を説明するための図
【図５】実施例１の表示装置における機能ブロックの別の一例を表す図
【図６】実施例１の表示装置における広画面表示処理の流れにおける別の一例を表すフローチャート
【図７】実施例１の表示装置におけるハードウェア構成の一例を表す概略図
【図８】実施例２の表示装置による広画面表示の一例を説明するための図
【図９】実施例２の表示装置における機能ブロックの一例を表す図
【図１０】実施例２の表示装置における処理の流れの一例を表すフローチャート
【図１１】実施例２の表示装置におけるハードウェア構成の一例を表す概略図
【図１２】実施例３の表示装置における表示の一例を表す図
【図１３】実施例３の表示装置における機能ブロックの一例を表す図
【図１４】実施例３の表示装置における表示すべき映像の例を表す図
【図１５】実施例３の表示装置におけるスクロール動作の一例を表す図
【図１６】実施例３の表示装置におけるスクロール動作の一例を表す図
【図１７】実施例３の表示装置における処理の流れの一例を表すフローチャート
【図１８】実施例３の表示装置における表示の別の一例を表す図
【図１９】実施例３の表示装置における機能ブロックの別の一例を表す図
【図２０】実施例３の表示装置における処理の流れにおける別の一例を表すフローチャート
【図２１】実施例３の表示装置における処理の流れにおけるさらに詳細な一例を表すフローチャート
【図２２】実施例３の表示装置におけるハードウェア構成の一例を表す概略図
【図２３】従来技術の表示装置における表示の一例を表す概略図
【符号の説明】
【００５９】
０２００  表示装置
０２０１  映像データ取得部
０２０２  判断部
０２０３  制御部
０２０４  表示部
【図１】
2008256904.tif 000003
【図２】
2008256904.tif 000004
【図３】
2008256904.tif 000005
【図４】
2008256904.tif 000006
【図５】
2008256904.tif 000007
【図６】
2008256904.tif 000008
【図７】
2008256904.tif 000009
【図８】
2008256904.tif 000010
【図９】
2008256904.tif 000011
【図１０】
2008256904.tif 000012
【図１１】
2008256904.tif 000013
【図１２】
2008256904.tif 000014
【図１３】
2008256904.tif 000015
【図１４】
2008256904.tif 000016
【図１５】
2008256904.tif 000017
【図１６】
2008256904.tif 000018
【図１７】
2008256904.tif 000019
【図１８】
2008256904.tif 000020
【図１９】
2008256904.tif 000021
【図２０】
2008256904.tif 000022
【図２１】
2008256904.tif 000023
【図２２】
2008256904.tif 000024
【図２３】
2008256904.tif 000025